(57)【特許請求の範囲】
【請求項１】
偏平チューブ(1)とコルゲートフィン(2)とが交互に並列されてコア(3)を構成しており、
各偏平チューブ(1)の両端が一対のチューブプレート(4)に挿通固定されており、
前記コア(3)の両側に一対のサイドメンバー(5)が配置されており、
そのサイドメンバー(5)の長手方向の両端が前記一対のチューブプレート(4)の長手方向の両方の側壁(6)の外面に一体に固定されている熱交換器において、
前記チューブプレート(4)は、その周縁が溝形に立ち上げられた環状の側壁(6)を有する皿状に形成されており、
前記サイドメンバー(5)は、前記コア(3)の長さに略等しい本体部(5a)と、前記本体部(5a)の両端に設けたられた前記コア(3)の外側に向けて突出する段付き状に形成された段付き部(5b)とからなり、且つ、その本体部(5a)と段付き部(5b)とを合わせた長手方向の全長が、側壁部(5d)と底部(5c)とを有する横断面溝形に曲折形成されており、
その溝形に曲折形成された段付き部(5b)の底部(5c)の面が一対の前記チューブプレート(4)の側壁の外面に一体に固定されており、
前記サイドメンバー(5)の長手方向両端部に位置して、前記底部(5c)の幅方向の中間部分で外側に向けて１以上のリブ(9)が一体に突設形成されており、
前記リブ(9)が本体部(5a)と段付き部(5b)の先端部との間が斜めに連結される筋交い状の前記リブ(9)であり、
サイドメンバー(5)の段付き部(5b)は、筋交い状の前記リブ(9)を設けた部分以外の段面が水平に形成される水平段面(5e)を有し、その水平断面(5e)に一対の前記チューブプレート(4)の底部(4a)の外面が着座されており、
前記サイドメンバー(5)の前記筋交い状のリブ(9)の先端(8)が、少なくともチューブプレート(4)の前記底部(4a)の外面の位置まで達するように構成されており、
前記段面(5e)の外側先端でその幅方向の中間位置から、前記本体部(5a)の底部(5c)に向けて、溝底の幅方向に厚みを有する筋交い状のリブ(9)が一体に突設形成されており、
そのリブ(9)と、前記段付き部(5b)の水平段面(5e)と、その段付き部(5b)から先端側に延長する垂直な底部(5c)と、先端側に延長する一対の両側壁（5d）が一体に形成されていることを特徴とする熱交換器。
【請求項２】
請求項１に記載の熱交換器において、
前記チューブプレート(4)からサイドメンバー(5)の長手方向に充分離間した位置で、その溝形のサイドメンバー(5)の本体部(5a)の底部(5c)が欠切された底無し部(10)を有すると共に、その底無し部(10)の位置で、その両側壁部(5d)が波形に曲折されて、そのサイドメンバー(5)が長手方向に変形容易な応力吸収部(11)を形成したことを特徴とする熱交換器。
【発明の詳細な説明】
【技術分野】
【０００１】
本発明は、自動車用ラジエータ等において、稼働中のコアの熱膨張による変形を防止する熱交換器に関する。
【背景技術】
【０００２】
エンジン冷却水を冷却する熱交換器は、図７に示す如く、偏平チューブ１とコルゲートフィン２とを交互に並列し、各偏平チューブ１の両端を一対のチューブプレート４に挿通してコア３を形成し、各チューブプレート４に図示しないタンク本体を配置するとともに、コア３の両側にサイドメンバー５を配置したものである。
このサイドメンバー５は、その長手方向の中間部は側壁を有し、横断面コ字状に形成されているが、その両端部は側壁を有していない構造となっている。
そして、エンジンを冷却して高温となった冷却水を、一方のタンク本体から各偏平チューブ１内に流通し、他方のタンク本体に導き、偏平チューブ１の外面側及びコルゲートフィン２側に送風を行い高温冷却水との間で熱交換を行うものである。
【０００３】
偏平チューブ１内に高温の冷却水が流通すると、その偏平チューブ１及びコルゲートフィン２は、偏平チューブ１の長手方向に伸長するとともに、それに直交する方向にも膨張する。一方、サイドメンバー５はコア３の両側に存在し、温度変化もほとんどないため、その状態を維持しようとする。
【発明の概要】
【発明が解決しようとする課題】
【０００４】
しかし、図７のような熱交換器の場合、サイドメンバー５と偏平チューブ１との間に熱膨張の差が生じ、偏平チューブ１とチューブプレート４との付根部、特に、最外側に位置する偏平チューブとチューブプレート４との付根部に応力が集中し、その部分に亀裂が生じる。また、偏平チューブ１が膨張すると、それにともないサイドメンバー５が変形し、熱交換器全体の強度が損なわれる問題が生じていた。
そこで、本発明は熱交換器に用いられるサイドメンバー５の熱応力耐性（剛性、伸び性等）を向上させることを課題とする。
【課題を解決するための手段】
【０００５】
請求項１に記載の発明は、偏平チューブ(1)とコルゲートフィン(2)とが交互に並列されてコア(3)を構成しており、
各偏平チューブ(1)の両端が一対のチューブプレート(4)に挿通固定されており、
前記コア(3)の両側に一対のサイドメンバー(5)が配置されており、
そのサイドメンバー(5)の長手方向の両端が前記一対のチューブプレート(4)の長手方向の両方の側壁(6)の外面に一体に固定されている熱交換器において、
前記チューブプレート(4)は、その周縁が溝形に立ち上げられた環状の側壁(6)を有する皿状に形成されており、
前記サイドメンバー(5)は、前記コア(3)の長さに略等しい本体部(5a)と、前記本体部(5a)の両端に設けたられた前記コア(3)の外側に向けて突出する段付き状に形成された段付き部(5b)とからなり、且つ、その本体部(5a)と段付き部(5b)とを合わせた長手方向の全長が、側壁部(5d)と底部(5c)とを有する横断面溝形に曲折形成されており、
その溝形に曲折形成された段付き部(5b)の底部(5c)の面が一対の前記チューブプレート(4)の側壁の外面に一体に固定されていると共に、前記サイドメンバー(5)の長手方向両端部に位置して、前記底部(5c)の幅方向の中間部分で外側に向けて１以上のリブ(9)が一体に突設形成されており、
前記リブ(9)が本体部(5a)と段付き部(5b)の先端部との間が斜めに連結される筋交い状の前記リブ(9)であり、
サイドメンバー(5)の段付き部(5b)は、筋交い状の前記リブ(9)を設けた部分以外の段面が水平に形成される水平段面(5e)を有し、その水平断面(5e)に一対の前記チューブプレート(4)の底部(4a)の外面が着座されており、
前記サイドメンバー(5)の前記筋交い状のリブ(9)の先端(8)が、少なくともチューブプレート(4)の前記底部(4a)の外面の位置まで達するように構成されており、
前記段面(5e)の外側先端でその幅方向の中間位置から、前記本体部(5a)の底部(5c)に向けて、溝底の幅方向に厚みを有する筋交い状のリブ(9)が一体に突設形成されており、
そのリブ(9)と、前記段付き部(5b)の水平段面(5e)と、その段付き部(5b)から先端側に延長する垂直な底部(5c)と、先端側に延長する一対の両側壁（5d）が一体に形成されていることを特徴とする熱交換器である。
【００１０】
請求項２に記載の発明は、請求項１に記載の熱交換器において、
前記チューブプレート(4)からサイドメンバー(5)の長手方向に充分離間した位置で、その溝形のサイドメンバー(5)の本体部(5a)の底部(5c)が欠切された底無し部(10)を有すると共に、その底無し部(10)の位置で、その両側壁部(5d)が波形に曲折されて、そのサイドメンバー(5)が長手方向に変形容易な応力吸収部(11)を形成したことを特徴とする熱交換器である。
【発明の効果】
【００１１】
請求項１に記載の発明は、サイドメンバー(5)の長手方向両端部に位置して、前記底部(5c)の幅方向の中間部分で外側に向けて１以上のリブ(9)が一体に突設形成されており、
前記リブ(9)が本体部(5a)と段付き部(5b)の先端部との間が斜めに連結される筋交い状の前記リブ(9)であり、
サイドメンバー(5)の段付き部(5b)は、筋交い状の前記リブ(9)を設けた部分以外の段面が水平に形成される水平段面(5e)を有し、その水平断面(5e)に一対の前記チューブプレート(4)の底部(4a)の外面が着座されており、
前記サイドメンバー(5)の前記筋交い状のリブ(9)の先端(8)が、少なくともチューブプレート(4)の前記底部(4a)の外面の位置まで達するように構成されており、
前記段面(5e)の外側先端でその幅方向の中間位置から、前記本体部(5a)の底部(5c)に向けて、溝底の幅方向に厚みを有する筋交い状のリブ(9)が一体に突設形成されており、
そのリブ(9)と、前記段付き部(5b)の水平段面(5e)と、その段付き部(5b)から先端側に延長する垂直な底部(5c)と、先端側に延長する一対の両側壁（5d）が一体に形成されていることを特徴とする熱交換器である。
このように、サイドメンバー５の端部に設けたリブ９と、段付き部５ｂの水平な段面５eと、その段付き部５ｂから先端側に延長された両側壁５ｄおよび、先端側に延長された垂直な底部５ｃとが一体に形成されているものである。そのため、サイドメンバー５の端部に断面係数のおおきな剛性部が形成される。
そして、段面５eに前記チューブプレート４の底部４aの外面が着座されて、それらが一体に接合されていると共に、段付き部５ｂの垂直な底部５ｃがチューブプレート４の側壁６に一体に接合されているから、サイドメンバーの端部に加わる応力を効果的に支持することができる。それにより、その段付き部５ｂに隣接する偏平チューブ１の付根の歪みや亀裂の発生を防ぎ、熱交換器の信頼性を向上する。
【００１４】
請求項２に記載の発明は、チューブプレート４からサイドメンバー５の長手方向に充分離間した位置で、その溝形のサイドメンバー５の本体部5aの底部5cが欠切された底無し部10を有すると共に、その底無し部10の位置で、その両側壁部5dが波形に曲折されて、そのサイドメンバー５が長手方向に変形容易な応力吸収部11を形成しているので、サイドメンバー５の伸長方向にかかる応力に対しても、効果的にその応力を吸収することができる。
【図面の簡単な説明】
【００１５】
【図１】本発明の第１実施例の熱交換器のサイドメンバー５の要部斜視図。
【図２】同サイドメンバー５の要部縦断面図。
【図３】本発明の他の例の熱交換器のサイドメンバー５の要部斜視図（Ａ）及びその要部縦断面図（Ｂ）。
【図４】本発明のさらに他の例の熱交換器のサイドメンバー５の要部斜視図（Ａ）及びその要部縦断面図（Ｂ）。
【図５】本発明の第２実施例の熱交換器のサイドメンバー５であって、そのサイドメンバー５に応力吸収部11を設けたことを示す要部斜視図。
【図６】本発明の第３実施例の熱交換器のサイドメンバー５の要部縦断面図（Ａ）及びその要部横断面図（Ｂ）。
【図７】従来型熱交換器の要部縦断面図。
【発明を実施するための形態】
【００１６】
次に、図面に基づいて本発明の実施の形態につき説明する。
図１〜図２は本発明の第１実施例を示すものである。
【００１７】
（第１実施例）
本発明の熱交換器は、コルゲートフィン２と偏平チューブ１とでコア３を形成し、その各偏平チューブ１の両端がチューブプレート４のチューブ挿通孔に挿通され、そのコアの両端にサイドメンバー５が配置されたものである。そして、本発明はそのサイドメンバー５とコア３、チューブプレート４との接合部に特徴を有する。
この例では、図１に示す如く、サイドメンバー５は、その溝底5cの長手方向の全長に渡って一対の側壁5dが曲折形成され、その横断面が溝形に形成されている。
その長手方向両端部には、先端部がコア３の外側に突出する段付き状に形成された段付き部5bが設けられるとともに、その段付き部5bの幅方向中央に筋交い状のリブ９がコア３の外側に向け一体的に突設されている。この段付き部5bの位置は、後述するチューブプレート４と偏平チューブ１との付根部近傍に相当する位置に形成される。
そのリブ９は、サイドメンバー５の幅方向中央部分に細長く形成されており、段付き部5bの根元７（この例では、サイドメンバー５の本体部5aの底部5c）と、その先端８部分との間を斜めに筋交い状に連結する。段付き部5bは、筋交い状のリブ９が設けられている部分を除き、その段面5eが水平に形成されている。
次に、チューブプレート４は、その周縁が立ち上げられた環状の側壁６を有する皿状に形成されており、その底部4aには偏平チューブ１を挿通する挿通孔が多数並列して穿設されている。その底部4aの周縁部には、シール材が配される環状溝が設けられている。
【００１８】
この例では、図２の如く、チューブプレート４の側壁６の外面と、サイドメンバー５の段付き部5bの先端部とが接合され、その段付き部5bの段面5eとチューブプレート４の底部4aの外面とが接合されている。それにより、サイドメンバー５の剛性が高まり、その部分にかかる応力を十分に支持することができる。
また、図１、図２の例では、サイドメンバー５に設けられた筋交い状のリブ９の一方の端部は段付き部の根元７に位置し、他方の端部はチューブプレート４の底部4aの外面の位置まで達している。そのため、サイドメンバー５の段付き部5bの幅方向の中間部は、リブ９を形成するため段面5eが存在しない。
【００１９】
このようなサイドメンバー５を有する熱交換器は、図１に示すごとく、内部に被冷却体が流通する偏平チューブ１と、コルゲートフィン２とを交互に並列し、各偏平チューブ１の両端をチューブプレート４に貫通してコア３を形成する。そして、コルゲートフィン２の並列方向両端位置にサイドメンバー５を配置（右側省略）している。これらの各部品はアルミニウム材（アルミニウム合金を含む）からなり、それらの部品間は、高温の炉内で一体にろう付けにより固定される。
そして、このチューブプレート４に、図示しない被冷却体の出入り口パイプを設けた樹脂製タンクがシール材を介して被嵌され、熱交換器が完成される。
なお、タンクは樹脂製でなくてもよく、アルミニウム材で製作してもよい。この場合、タンクとチューブプレート４は、ろう付けや溶接により、一体的に取り付けられる。
【００２０】
（作用）
図１、図２の実施例において、熱交換器の内部に高温の被冷却体が流通すると、そのコア３の最外側に位置する偏平チューブとチューブプレート４との付根部に応力が集中する。
このサイドメンバー５は、その長手方向両端部に段付き部5bが形成されるとともに、一対の側壁5dがその段付き部5bを含んで長手方向全長に渡り曲折形成されている。さらに、その段付き部5bに筋交い状のリブ９を設けているため、熱交換器の該部分に応力が集中したとしても、その応力を十分に支持し得る強度をもつことができ、偏平チューブに亀裂や歪みを生じず、被冷却体が漏れるおそれがない。
この例では、筋交い状のリブ９が１つのみ設けられているが、このリブ９は複数設けることも可能である。
【００２１】
（サイドメンバー５のリブ９の形状に関する他の例）
図３及び図４は、サイドメンバー５に設けられるリブ９の形状を変形させたものである。その作用効果は、第１実施例のリブ９と同一のものとなる。
図３の例は、この筋交い状のリブ９は、サイドメンバー５の幅方向中央部分に幅広に形成されており、段付き部5bの根元７（この例では、サイドメンバー５の本体部5aの底部5c）からチューブプレート４の側壁６との間を斜めに筋交い状に連結する。このように筋交い状のリブ９が幅広く、且つ長く形成されていると、その部分の強度が高まり、応力に対する支持力が増すことになる。
図４は、さらに他の例であり、これが図１の第１実施例と異なる点は、筋交い状のリブ９を通常のリブ９に変更し、そのリブ９を並列して２条設けた点のみである。
第１実施例および他の例で紹介したサイドメンバー５のリブ９の形状、数は、その例を示したものであり、本願の請求の範囲から導き出される作用効果を逸脱するものでなければ、その設計を変更しうるものである。
【００２２】
（第２実施例）
図５は、本発明のさらに他の実施例であり、一例として、リブ９を有するサイドメンバー５に伸縮方向にかかる応力を吸収する応力吸収部11を設けた例である。
このサイドメンバー５は、上記図４のリブ９の構造を有するとともに、チューブプレート４から十分離間した位置に底部5cがＨ型に欠切された底無し部10を有する。また、その底無し部10の位置で側壁部5dが波形に湾曲されて、応力吸収部11を形成する。この応力吸収部11は、熱交換器の稼動に伴い、コア３が偏平チューブ１の長手方向に膨張したとき、それに応じてサイドメンバー５を容易に変形させる。そして、この底無し部10および応力吸収部11は、上下一対のチューブプレート４から略等距離にそれぞれ一対形成されている。同様に図示しない右側のサイドメンバー５においても、それらが形成されている。
【００２３】
次に、応力吸収部11の成形方法についてその一例を述べる。先ず、サイドメンバー５の底部5cの全幅に渡り、Ｈ状のスリットをプレス成形により欠切して、底無し部10を形成する。そのとき、Ｈの上フランジおよび下フランジが側壁部5dに沿って配置されるようにする。それにより、その底無し部10の位置では、サイドメンバー５はその幅方向への外力に対して容易に変形する。そこで、そのサイドメンバー５の位置で、プレス成形により両側壁部5dを幅方向にプレス成形して、その波形を互いに対向させる。
【００２４】
（作用）
上記の例で、熱交換器の内部に高温の被冷却体が流通すると、コア３は、その偏平チューブ１の長手方向およびそれに直行する方向に熱膨張する。偏平チューブ１の長手方向の熱膨張は、サイドメンバー５の応力吸収部11により吸収される。次に、コア３の幅方向への熱膨張に基づいて加わるサイドメンバー５の荷重に対しては、応力吸収部11はその断面係数が大となり、変形することがない。
また、サイドメンバー５とチューブプレート４との付根には、段付き部5b、リブ９、そして、それらを含めてサイドメンバー５の全長に渡って側壁5dが設けられているため、特にサイドメンバー５の付根の変形を防止する。それにより、コア３の最側端に位置する偏平チューブ１の付根の変形および、それに伴う偏平チューブの付根の亀裂を防止できる。
【００２５】
（第３実施例）
図６は本発明のさらに他の実施例であり、この例のサイドメンバー５は、段付き部5bを有せず、その本体部5aの長手方向の全長に渡って横断面が溝形に曲折形成され、その長手方向両端部で、コア３の外側に向けてリブ９が凸条に突設形成されている。
【００２６】
なお、第１実施例において、サイドメンバー５の段付き部5bの段面5eとチューブプレート４の底部4aの外面とが接合された例を示したが、この間に隙間を設け、段面5eと底部4aを接合しない構造であっても良い。
【符号の説明】
【００２７】
１  偏平チューブ
２  コルゲートフィン
３  コア
４  チューブプレート
4a  底部
５  サイドメンバー
5a  本体部
5b  段付き部
5c  底部
5d  側壁
5e  段面
６  側壁
７  根元
８  先端
９  リブ
10  底無し部
11  応力吸収部
【図１】
0005953323.tif 000002
【図２】
0005953323.tif 000003
【図３】
0005953323.tif 000004
【図４】
0005953323.tif 000005
【図５】
0005953323.tif 000006
【図６】
0005953323.tif 000007
【図７】
0005953323.tif 000008